(57)【特許請求の範囲】
【請求項１】
平面視で四角形状の屋根パネルの対向する２辺の位置で平行に配置された一対の垂木受梁と、
これら垂木受梁の間において両垂木受梁直交方向に架け渡された複数の垂木と、
これら垂木に支持され、排水勾配に沿って傾斜した屋根面を形成するパネル材と、
を備えた屋根パネルであって、
前記垂木は、長手方向両端部が、前記垂木受梁に直接固定されているとともに、前記排水勾配の水上側に配置される箇所では水下側に配置される箇所よりも前記垂木受梁に対して高位置に固定され、
これら垂木で形成される高低差により、前記パネル材が、排水勾配に沿って傾斜され、
前記垂木は、前記垂木受梁に設けられた垂木用ネジ穴に挿通したネジを締結して前記垂木受梁に固定され、
前記垂木用ネジ穴は、前記垂木の固定時に挿通するネジの数よりも多い数が、上下方向に設けられ、
前記ネジを挿通する前記垂木用ネジ穴を選択することにより、前記垂木受梁に対する前記垂木の固定高さが設定されていることを特徴とする屋根パネル。
【請求項２】
平面視で四角形状の屋根パネルの対向する２辺の位置で平行に配置された一対の垂木受梁と、
これら垂木受梁の間において両垂木受梁直交方向に架け渡された複数の垂木と、
これら垂木に支持され、排水勾配に沿って傾斜した屋根面を形成するパネル材と、
を備えた屋根パネルであって、
前記垂木は、長手方向両端部が、前記垂木受梁に直接固定されているとともに、前記排水勾配の水上側に配置される箇所では水下側に配置される箇所よりも前記垂木受梁に対して高位置に固定され、
これら垂木で形成される高低差により、前記パネル材が、排水勾配に沿って傾斜され、
前記垂木は、前記垂木受梁に設けられた垂木用ネジ穴を挿通したネジを前記垂木に形成されたネジ受穴に締結して前記垂木受梁に固定され、
前記ネジ受穴は、固定時に締結するネジの数よりも多い数が上下方向に設けられ、
前記ネジを締結する前記ネジ受穴の位置を選択することにより、前記垂木受梁に対する前記垂木の固定高さが設定されていることを特徴とする屋根パネル。
【請求項３】
前記一対の垂木受梁は、それぞれ水平方向に延在された底片と、この底片の水平方向一端から立ち上げられた立上支持片とにより断面Ｌ字状に形成されているとともに、前記底片を両垂木受梁の間の方向に向けて左右対称に配置され、
前記垂木は、その下面が底片の上面に対向された状態で、その両端部が、前記立上支持片に固定されていることを特徴とする請求項１または請求項２に記載の屋根パネル。
【請求項４】
前記排水勾配は、前記垂木受梁直交方向に設定され、
各垂木は、その両端のうち一方の端部が水上側で相対的に高位置に固定され、もう一方の端部が水下側で相対的に低位置に固定されることで、各垂木が前記排水勾配に沿って傾斜されていることを特徴とする請求項１〜請求項３のいずれか１項に記載の屋根パネル。
【請求項５】
前記排水勾配は、前記垂木受梁に沿う方向に設定され、
各垂木は、それぞれ両端部が前記垂木受梁に対して同じ高さに固定されて水平に配置され、かつ、前記複数の垂木が、前記排水勾配に沿って水下側に配置されたものよりも水上側に配置されたものの方が相対的に高位置に固定されていることを特徴とする請求項１〜請求項３のいずれか１項に記載の屋根パネル。
【請求項６】
前記垂木は、鋼材製であり、両端に前記垂木受梁に対向する端部プレートが固定され、
この端部プレートには、前記ネジの締結用のネジ受穴が設けられていることを特徴とする請求項１〜請求項５のいずれか１項に記載の屋根パネル。
【請求項７】
前記垂木受梁は、運搬時に固定して使用する運搬用ブラケットを固定するボルトを締結するためのボルト挿通穴が、長手方向に沿って、あらかじめ設定された間隔で複数形成されていることを特徴とする請求項１〜請求項６のいずれか１項に記載の屋根パネル。
【請求項８】
請求項１〜７のいずれか１項に記載の屋根パネルの製造方法であって、
前記垂木受梁にあらかじめ前記垂木用ネジ穴を開口し、
前記垂木は、前記端部プレートをあらかじめ固定するとともに、前記端部プレートに、あらかじめネジ受穴を設け、
前記屋根パネルの組付時に、前記垂木受梁の前記垂木用ネジ穴にネジを挿通し、このネジを、前記垂木のネジ受穴に締結して、前記垂木を固定することを特徴とする屋根パネルの製造方法。
【請求項９】
平面視で四角形状の屋根パネルの対向する２辺の位置で平行に配置された一対の垂木受梁と、
これら垂木受梁の間において両垂木受梁直交方向に架け渡された複数の垂木と、
これら垂木に支持され、排水勾配に沿って傾斜した屋根面を形成するパネル材と、
を備えた屋根パネルであって、
前記垂木は、長手方向両端部が、前記垂木受梁に直接固定されているとともに、前記排水勾配の水上側に配置される箇所では水下側に配置される箇所よりも前記垂木受梁に対して高位置に固定され、
これら垂木で形成される高低差により、前記パネル材が、排水勾配に沿って傾斜され、
前記一対の垂木受梁は、それぞれ水平方向に延在された底片と、この底片の水平方向一端から立ち上げられた立上支持片とにより断面Ｌ字状に形成されているとともに、前記底片を両垂木受梁の間の方向に向けて左右対称に配置され、
前記垂木は、その下面が底片の上面に対向された状態で、その両端部が、前記立上支持片に固定されていることを特徴とする屋根パネル。
【発明の詳細な説明】
【技術分野】
【０００１】
本発明は、ユニット建物などの建物上部に取り付けられる屋根パネルおよびその製造方法に関する。
【背景技術】
【０００２】
従来、建物ユニットの上部に、垂木受梁、垂木、野地板などを備えた屋根パネル部材が知られている（例えば、特許文献１参照）。
この特許文献１に記載された従来の屋根パネルでは、屋根パネルにおいて排水勾配に沿う方向の両端部に設けられた垂木受梁に、それぞれ異なる高さの屋根パネル受金具を取り付け、垂木の両端部をこれら高さの異なる屋根パネル受金具で支持することで、垂木を水平に対して傾けている。そして、この傾斜した垂木により野地板を支持し、屋根パネル表面に排水勾配が与えられている。
【０００３】
また、特許文献１に記載された従来技術として、垂木受梁として、高さの異なる２種類の垂木受梁を用い、これらの高さの垂木受梁により垂木を傾けて支持することで、屋根パネル表面に排水勾配を与えることも記載されている。
【先行技術文献】
【特許文献】
【０００４】
【特許文献１】特開２００２−３２２７５６号公報
【発明の概要】
【発明が解決しようとする課題】
【０００５】
しかしながら、上述のような従来の屋根パネルにあっては、垂木を傾斜させて支持するのにあたり、垂木受梁と垂木との間に、高さの異なる屋根パネル受金具を介在させたり、垂木受梁として高さの異なる垂木受梁を用いたりしているため、使用する部品点数が多かったり、使用する部品の種類が多くなったりして、コストアップを招くという問題があった。
【０００６】
本発明は、上述の問題を解決することを目的とするものであり、使用する部品点数、部品の種類を削減可能な屋根パネルおよびその製造方法を提供することを目的としている。
【課題を解決するための手段】
【０００７】
上記目的を達成するために、請求項１に記載の発明は、平面視で四角形状の屋根パネルの対向する２辺の位置で平行に配置された一対の垂木受梁と、これら垂木受梁の間において両垂木受梁直交方向に架け渡された複数の垂木と、これら垂木に支持され、排水勾配に沿って傾斜した屋根面を形成するパネル材と、を備えた屋根パネルであって、前記垂木は、長手方向両端部が、前記垂木受梁に直接固定されているとともに、前記排水勾配の水上側に配置される箇所では水下側に配置される箇所よりも前記垂木受梁に対して高位置に固定され、これら垂木で形成される高低差により、前記パネル材が、排水勾配に沿って傾斜され、前記垂木は、前記垂木受梁に設けられた垂木用ネジ穴に挿通したネジを締結して前記垂木受梁に固定され、前記垂木用ネジ穴は、前記垂木の固定時に挿通するネジの数よりも多い数が、上下方向に設けられ、前記ネジを挿通する前記垂木用ネジ穴を選択することにより、前記垂木受梁に対する前記垂木の固定高さが設定されていることを特徴とする屋根パネルとした。
また、上記目的を達成するために、請求項２に記載の発明は、平面視で四角形状の屋根パネルの対向する２辺の位置で平行に配置された一対の垂木受梁と、これら垂木受梁の間において両垂木受梁直交方向に架け渡された複数の垂木と、これら垂木に支持され、排水勾配に沿って傾斜した屋根面を形成するパネル材と、を備えた屋根パネルであって、前記垂木は、長手方向両端部が、前記垂木受梁に直接固定されているとともに、前記排水勾配の水上側に配置される箇所では水下側に配置される箇所よりも前記垂木受梁に対して高位置に固定され、これら垂木で形成される高低差により、前記パネル材が、排水勾配に沿って傾斜され、前記垂木は、前記垂木受梁に設けられた垂木用ネジ穴を挿通したネジを前記垂木に形成されたネジ受穴に締結して前記垂木受梁に固定され、前記ネジ受穴は、固定時に締結するネジの数よりも多い数が上下方向に設けられ、前記ネジを締結する前記ネジ受穴の位置を選択することにより、前記垂木受梁に対する前記垂木の固定高さが設定されていることを特徴とする屋根パネルとした。
【０００８】
また、請求項３に記載の発明では、請求項１または請求項２に記載の屋根パネルにおいて、前記一対の垂木受梁は、それぞれ水平方向に延在された底片と、この底片の水平方向一端から立ち上げられた立上支持片とにより断面Ｌ字状に形成されているとともに、前記底片を両垂木受梁の間の方向に向けて左右対称に配置され、前記垂木は、その下面が底片の上面に対向された状態で、その両端部が、前記立上支持片に固定されていることを特徴とする屋根パネルとした。
請求項４に記載の発明では、請求項１〜請求項３のいずれか１項に記載の屋根パネルにおいて、前記排水勾配は、前記垂木受梁直交方向に設定され、各垂木は、その両端のうち一方の端部が水上側で相対的に高位置に固定され、もう一方の端部が水下側で相対的に低位置に固定されることで、各垂木が前記排水勾配に沿って傾斜されていることを特徴とする屋根パネルとした。
請求項５に記載の発明では、請求項１〜請求項３のいずれか１項に記載の屋根パネルにおいて、前記排水勾配は、前記垂木受梁に沿う方向に設定され、各垂木は、それぞれ両端部が前記垂木受梁に対して同じ高さに固定されて水平に配置され、かつ、前記複数の垂木が、前記排水勾配に沿って水下側に配置されたものよりも水上側に配置されたものの方が相対的に高位置に固定されていることを特徴とする屋根パネルとした。
請求項６に記載の発明では、請求項１〜請求項５のいずれか１項に記載の屋根パネルにおいて、前記垂木は、鋼材製であり、両端に前記垂木受梁に対向する端部プレートが固定され、この端部プレートには、前記ネジの締結用のネジ受穴が設けられていることを特徴とする屋根パネルとした。
請求項７に記載の発明では、請求項１〜請求項６のいずれか１項に記載の屋根パネルにおいて、前記垂木受梁は、運搬時に固定して使用する運搬用ブラケットを固定するボルトを締結するためのボルト挿通穴が、長手方向に沿って、あらかじめ設定された間隔で複数形成されていることを特徴とする屋根パネルとした。
【０００９】
請求項８に記載の発明は、請求項１〜７のいずれか１項に記載の屋根パネルの製造方法であって、前記垂木受梁にあらかじめ前記垂木用ネジ穴を開口し、前記垂木は、前記端部プレートをあらかじめ固定するとともに、前記端部プレートに、あらかじめネジ受穴を設け、前記屋根パネルの組付時に、前記垂木受梁の前記垂木用ネジ穴にネジを挿通し、このネジを、前記垂木のネジ受穴に締結して、前記垂木を固定することを特徴とする屋根パネルの製造方法とした。
請求項９に記載の発明は、平面視で四角形状の屋根パネルの対向する２辺の位置で平行に配置された一対の垂木受梁と、これら垂木受梁の間において両垂木受梁直交方向に架け渡された複数の垂木と、これら垂木に支持され、排水勾配に沿って傾斜した屋根面を形成するパネル材と、を備えた屋根パネルであって、前記垂木は、長手方向両端部が、前記垂木受梁に直接固定されているとともに、前記排水勾配の水上側に配置される箇所では水下側に配置される箇所よりも前記垂木受梁に対して高位置に固定され、これら垂木で形成される高低差により、前記パネル材が、排水勾配に沿って傾斜され、前記一対の垂木受梁は、それぞれ水平方向に延在された底片と、この底片の水平方向一端から立ち上げられた立上支持片とにより断面Ｌ字状に形成されているとともに、前記底片を両垂木受梁の間の方向に向けて左右対称に配置され、前記垂木は、その下面が底片の上面に対向された状態で、その両端部が、前記立上支持片に固定されていることを特徴とする屋根パネルとした。
【発明の効果】
【００１０】
本発明では、一対の垂木受梁に垂木の長手方向両端を直接固定し、この垂木両端部の固定高さは、排水勾配の水上側における固定高さを、排水勾配の水下側の固定高さよりも高くした。
したがって、高さ方向で垂木受梁と垂木との間に部品を介在させたものと比較して部品点数を抑えることができ、かつ、垂木受梁の形状も、排水勾配に応じた形状とすることが不要となり、コスト的に有利である。
また、請求項１に記載の発明では、各垂木受梁において、垂木の両端部を固定する箇所に設けた垂木用ネジ穴を、上下方向に固定時に挿通するネジの数よりも多い数だけ形成した。これにより、垂木の両端部の固定高さに応じ、固定高さが高い位置では低い位置と比較し、固定用ネジの垂木用ネジ穴への挿通位置を高く設定し、垂木の両端部の固定高さを異ならせることができる。
したがって、垂木の両端部の固定高さの設定が容易であり、作業性に優れる。また、垂木受梁において、垂木両端部の固定高さに応じた位置に垂木用ネジ穴をいちいち開口する作業を行うことが不要となり、この点でも作業性に優れる。
請求項２に記載の発明では、垂木に形成したネジ受穴を、上下方向に固定時に締結するネジの数よりも多い数だけ形成した。これにより、垂木の両端部の固定高さに応じ、固定高さが高い位置では低い位置と比較し、固定用ネジのネジ受穴への締結位置を高く設定し、垂木の両端部の固定高さを異ならせることができる。
したがって、垂木の両端部の固定高さの設定が容易であり、作業性に優れる。また、垂木において、垂木両端部の固定高さに応じた位置にネジ受穴をいちいち開口する作業を行うことが不要となり、この点でも作業性に優れる。
さらに、請求項３および請求項９に記載の発明のように、両垂木受梁として同一形状のものを左右対称に配置して使用することにより、各垂木受梁として異なる形状のものを用いるのと比較して、部品点数を少なくできるとともに、製造コストも抑えることができる。
さらに、請求項３および請求項９に記載の発明では、各垂木受梁は、Ｌ字断面形状に形成し、底片と垂木の下面とが対向して配置するようにしたため、垂木の固定作業時に、垂木と底片との間にスペーサなどを配置させて、垂木を所定の高さに維持するのが容易であり、作業性に優れる。
【００１１】
請求項４に記載の発明では、各垂木において、両端の垂木受梁に対する固定高さを異ならせ、垂木を傾斜させることで、垂木に支持されるパネル材に、垂木受梁直交方向の排水勾配を与えることができる。
請求項５に記載の発明では、各垂木にあっては両端の固定高さを一致させて水平に配置し、垂木ごとの固定高さを排水勾配に沿って異ならせることで、垂木に支持されるパネル材に、垂木受梁に沿う方向の排水勾配を与えることができる。
このように、本発明では、各垂木の両端の固定高さを任意に設定することで、排水勾配を垂木受梁に沿う方向や垂木受梁直交方向に任意に設定することができる。
請求項６に記載の発明では、鋼材製の垂木に端部プレートを設け、この端部プレートにネジ締結用のネジ受穴を設けた。
したがって、垂木受梁に挿通させたネジをネジ受穴に締結させることにより、鋼材製の垂木を垂木受梁に固定することができ、木製の垂木に直接ネジを締結するのと比較して締結作業が容易であり、かつ、鋼材製の垂木であっても、その端部に容易にネジを締結ができ作業性に優れる。
【００１３】
請求項７に記載の発明では、各垂木受梁において、運搬用ブラケットを固定するボルト用穴を一定の間隔で設けたため、設置する建物の寸法に応じて屋根パネルおよび各垂木受梁の寸法調整を行っても、その都度、運搬用ブラケットを固定するための穴を穿設する必要が無く、作業性に優れる。
【００１４】
請求項８に記載の発明では、排水勾配を、垂木受梁の垂木用ネジ穴またはネジ受穴の位置によって変更可能なため、一対の垂木受梁として共通の梁を使用でき、部品点数を削減できる。また、垂木のネジ受穴と垂木受梁の垂木用ネジ穴との位置を一致させてネジを締結すれば、垂木の両端部を、それぞれ垂木受梁の所定高さに固定できるため、作業性に優れる。
【図面の簡単な説明】
【００１５】
【図１】図１は、本発明の実施の形態１の屋根パネルＹＰを示す図であり、（ａ）は平面図、（ｂ）は（ａ）のＳｂ−Ｓｂ線の位置で切断した状態の断面図である。
【図２】図２は、実施の形態１の屋根パネルＹＰを建物ユニットＴＵに設置する状態を示す斜視図である。
【図３】図３は、実施の形態１の屋根パネルＹＰの垂木受梁２１（２２）を示す側面図である。
【図４】図４は、実施の形態１の屋根パネルＹＰを建物ユニットＴＵに設置した状態を示す断面図である。
【図５】図５は、実施の形態１の屋根パネルＹＰに用いた垂木２３を示す斜視図である。
【図６】図６は、実施の形態２の屋根パネルＹＰを示す図であり、（ａ）は平面図、（ｂ）は垂木受梁２２１の側面図、（ｃ）は（ａ）においてＳｃ−Ｓｃ線で切断した状態を示す断面図である。
【図７】図７は、実施の形態の屋根パネルの他の例の要部を示す図であり、垂木３２３の垂木受梁２１，２２に対する取付状態を示す断面図である。
【発明を実施するための形態】
【００１６】
以下、本発明の実施の形態について、添付図面を参照しながら説明する。
まず、図１〜図５に基づいて本発明の実施の形態１の屋根パネルについて説明する。
図２は本実施の形態１の屋根パネルＹＰを建物ユニットＴＵに設置する過程を示す斜視図である。
この図２に示すように、屋根パネルＹＰは、建物ユニットＴＵの上部に設置される。
【００１７】
ここで建物ユニットＴＵについて簡単に説明する。
建物ユニットＴＵは、金属フレームで形成された柱１１を四隅に起立させ、これら柱１１の上部どうしおよび下部どうしを梁１２により枠状に結合させ枠組構造体１０を備えている。また、この枠組構造体１０において天井部分には、長尺の梁１２と梁１２との間に、梁１２の延在方向に直交する方向に複数の天井根太１３が架け渡されている。
【００１８】
建物ユニットＴＵにおいて、柱１１および梁１２の水平な上端面１１ａ，１２ａに、屋根パネルＹＰを載置し、かつ、梁１２に立設されたボルト４２を屋根パネルＹＰの後述する垂木受梁２１，２２に貫通させた状態で、このボルト４２にナット４３を締結させて固定される（図４参照）。
【００１９】
屋根パネルＹＰは、あらかじめ工場で一体に組み付けられ、建築現場において建物ユニットＴＵに固定される。
この屋根パネルＹＰは、一対の垂木受梁２１，２２と、複数の垂木２３と、野地板屋根パネル（パネル材）ＮＰとを備えている。
【００２０】
なお、この屋根パネルＹＰは、複数の建物ユニットＴＵで構成される図示を省略したユニット建物の奥行きスパン（長さ）が、輸送制限長さ（例えば、１０ｍ）以下である場合には、棟で分割せずに１部材で構成される一方、ユニット建物の奥行きスパンが、輸送制限長さを越える場合には、複数に分割され、ユニット建物の上部で組み合わされる。本実施の形態１では、１つの建物ユニットＴＵの上部に１つの屋根パネルＹＰが取り付けられる場合を例示している。
【００２１】
垂木受梁２１，２２は、金属製のもので、図１に示すように、それぞれ底片２１ｂと、その一端から起立された立上支持片２１ａとにより断面略Ｌ字状に形成されている。さらに、立上支持片２１ａには、図３に示すように、垂木用ネジ穴２５とボルト用穴２６とが形成されている。なお、垂木受梁２１，２２は、後述する排水勾配の説明のために符号は異なる表記としているが、同一部材を左右対称に配置したものである。
【００２２】
垂木用ネジ穴２５は、垂木受梁２１，２２において長手方向にあらかじめ設定された間隔で複数箇所に設けられている。この垂木用ネジ穴２５の設置位置は、垂木２３の設置位置に対応しており、例えば、ユニット建物を構成するためにあらかじめ設定されたモジュールに応じた間隔で設けられている。さらに、垂木用ネジ穴２５は、図において拡大して示すように、１箇所に上下方向に複数（本実施の形態１では４個）一定の間隔で設けられている。
【００２３】
また、ボルト用穴２６も、垂木受梁２１の長手方向に沿って建物ユニットＴＵの基準となるモジュールに応じた一定の間隔で複数設けられている。なお、ボルト用穴２６の設置間隔と、垂木用ネジ穴２５の設置間隔とは、上述のように所定のモジュールに応じて一致させてもよいが、モジュールとは関係なく異ならせてもよい。
【００２４】
垂木２３は、図１（ｂ）に示すように、その長手方向両端面を垂木受梁２１の立上支持片２１ａに当接あるいは近接させた状態で、その長手方向両端部が、垂木用ネジ穴２５を貫通させたネジ２７により締結して垂木受梁２１に固定されている。
垂木２３としては、木製、金属製のいずれのものを用いてもよいが、本実施の形態１では金属製のものを用いている。すなわち、垂木２３は、図５に示すように、Ｃ型鋼材の長手方向端部に端部パネル２３ｃ，２３ｃを溶接により結合して形成されている。そして、各端部パネル２３ｃには、ネジ２７を締結可能な雌ネジが内周に形成されたネジ受穴２３ｄ，２３ｄが上下２箇所に形成されている。これらのネジ受穴２３ｄ，２３ｄは、各垂木２３の各端部パネル２３ｃにおいて、同じ位置に形成されている。
【００２５】
野地板屋根パネルＮＰは、硬質木毛セメント板などにより構成された図４に示す野地板２４を、ネジ止めあるいは接着などにより、垂木２３の上面２３ａ上に複数敷設し、この野地板２４の上に、図示を省略した防水シートを敷設し、さらに、その上に瓦や或いは金属板などの屋根材２８を敷設して構成されている。なお、野地板２４は、予め工場内で、採寸、切断されて、割付および敷設が行われる。
【００２６】
本実施の形態１では、各垂木２３の上面２３ａに、矢印ＨＳで示す方向の排水勾配が与えられており、これにより、この垂木２３に支持された野地板屋根パネルＮＰに、垂木２３の傾斜に沿って、図１において矢印ＨＳ方向ほど下がるように傾斜した排水勾配が与えられている。
【００２７】
次に、垂木２３を矢印ＨＳ方向に傾斜させる構造について図１に基づいて説明する。
本実施の形態１では、垂木２３を傾斜させるのにあたり、垂木２３の長手方向両端部を両垂木受梁２１，２２に固定する高さを、排水勾配の水上側と水下側とで異ならせている。
【００２８】
すなわち、本実施の形態１では、垂木受梁２２の垂木用ネジ穴２５において、ネジ２７を、排水勾配の水上側と水下側とで上下方向で異なる位置（高さ）に挿通させている。そして、このように水上側と水下側とで異なる高さに配置されたネジ２７を、垂木２３の長手方向両端部に設けられた端部パネル２３ｃのネジ受穴２３ｄに締結させることで、垂木２３の両端部の固定高さを異ならせている。
【００２９】
具体的には、水下側の垂木受梁２１では、図３に示す４個の垂木用ネジ穴２５のうち、下側の２個にネジ２７を挿通させて垂木２３のネジ受穴２３ｄに締結している。この場合、図１（ｂ）に示すように、垂木受梁２１の底片２１ｂに対する垂木２３の下面２３ｂの高さはｈ１となる。
一方、水上側の垂木受梁２２では、図３に示す４個の垂木用ネジ穴２５のうち、上側の２個にネジ２７を挿通させて垂木２３のネジ受穴２３ｄに締結している。この場合、垂木受梁２２の底片２１ｂに対する垂木２３の下面２３ｂの高さは、前述のｈ１よりも高いｈ２となる。
したがって、この高さの差（ｈ２−ｈ１）に基づいて、垂木２３の上面２３ａには、水上側から水下側に下がる排水勾配（例えば、１：１００）が設定される。なお、垂木２３がこのように傾斜した場合、ネジ２７もこの傾斜に沿って傾斜して配置されるため、垂木用ネジ穴２５はネジ２７の傾斜を許容すべく、その内径がネジ２７の外径よりも大きく形成されているものとする。また、垂木２３の傾斜に伴い、端部パネル２３ｃと立上支持片２１ａとの間に隙間が生じるため、ネジ２７の外周であってこの隙間部分、ならびにネジ２７の頭部と立上支持片２１ａとの間に、隙間を埋めるとともに傾斜を吸収するスペーサを設けるのが好ましい。
【００３０】
なお、建築現場において、屋根パネルＹＰを建物ユニットＴＵに設置後、野地板屋根パネルＮＰの水下側の縁部に、図４に示すように、軒先カバー２９が取り付けられ、この軒先カバー２９の下方に、軒樋３０が取り付けられる。軒樋３０は、垂木受梁２１に固定された木桟３１にブラケット３２を介して支持される。また、木桟３１には、軒樋３０の下方を覆う軒下化粧材３３が取り付けられ、この軒下化粧材３３からは、庇化粧カバー３４が立ち上げられている。
【００３１】
次に、実施の形態１の作用を説明する。
（工場における組立）
工場において屋根パネルＹＰを製造する際には、両垂木受梁２１，２２を、その延在方向に対して直交方向に所定の間隔を空けて水平かつ同じ高さに設置し、これら垂木受梁２１，２２の間に、前記直交方向に垂木２３を架け渡す。
そして、垂木２３の長手方向両端の高さを、それぞれ、設定された排水勾配が得られる高さに調節して垂木受梁２１，２２の垂木用ネジ穴２５の所定の穴と垂木２３のネジ受穴２３ｄとの位置を一致させた上で、垂木用ネジ穴２５にネジ２７を挿通させて、垂木２３のネジ受穴２３ｄに締結させる。
【００３２】
この場合、本実施の形態１では、前述のように、垂木２３の排水勾配の水下側の端部では、垂木受梁２１の垂木用ネジ穴２５の下側の２個にネジ２７を挿通させ、垂木２３の排水勾配の水上側の端部では、垂木受梁２２の垂木用ネジ穴２５の上側の２個にネジ２７を挿通させる。これにより、垂木２３を、垂木受梁２１，２２に対して排水勾配に沿って傾斜させて固定する。
このように、垂木受梁２１，２２にあらかじめ開口されている４個の垂木用ネジ穴２５のうちから、垂木２３を固定する高さに応じた２個を選択してネジ２７を挿通するため、高さ調整が容易であり、作業性に優れる。特に、従来技術のように、両垂木受梁と垂木との間に、高さ方向に他部品を介在させる技術と比較して、作業工数を大幅に削減できる。
また、本実施の形態１の場合、４個の垂木用ネジ穴２５のうちから、ネジ２７を挿通させる穴を任意に選択することにより排水勾配の傾きを任意に変更することができる。すなわち、上述の状態に対し、垂木受梁２１，２２のいずれかにおいて垂木２３を固定するネジ２７を挿通する垂木用ネジ穴２５を上下方向で中間の２個とすることにより、上述の状態に対し排水勾配を緩やかにすることができる。このように、排水勾配の変更も容易である。
【００３３】
上述のようにして、両垂木受梁２１，２２の間に、複数の垂木２３を全て固定し終えたら、垂木２３の上に、野地板２４を敷設し、さらに、その上に防水シート（図示省略）および屋根材２８を重ねて敷設して野地板屋根パネルＮＰを形成し、屋根パネルＹＰの製造を終える。
【００３４】
（建築現場の施工）
次に、建築現場の施工について説明する。
建築現場では、建物ユニットＴＵを設置した後、最上部の建物ユニットＴＵの上部に屋根パネルＹＰを設置する。
この際、垂木受梁２１，２２の複数のボルト用穴２６のうちから、垂木受梁２１，２２の中心位置に対して左右対称な４箇所を選択し、図２および図３に示すように、その４箇所に運搬用ブラケット４１をボルトで締結する。そして、これら運搬用ブラケット４１に吊り下げワイヤＷを引っ掛け、クレーン（図示省略）を用いて、屋根パネルＹＰを建物ユニットＴＵの上部に運搬する。
【００３５】
そして、屋根パネルＹＰを設定位置に配置した後、各垂木受梁２１（２２）を図２および図４に示すボルト４２およびナット４３により梁１２に締結する。
なお、上記のように、運搬用ブラケット４１を垂木受梁２１，２２に固定する際、垂木受梁２１，２２は、ボルト用穴２６が一定のモジュール間隔で開口されているため、垂木受梁２１，２２の長さに応じて、複数のボルト用穴２６に対して、吊り下げるのに最適の位置のものを選択して運搬用ブラケット４１を固定することができる。したがって、各垂木受梁２１，２２を屋根パネルＹＰおよび建物ユニットＴＵの寸法に応じて切断していても、運搬用ブラケット４１を、屋根パネルＹＰを吊り下げるのに最適の位置に固定することができる。
【００３６】
（実施の形態１の効果）
以上説明した実施の形態１の屋根パネルＹＰにあっては、以下に列挙する効果を得ることができる。
【００３７】
ａ）一対の垂木受梁２１，２２を用い、垂木２３の長手方向両端を、両垂木受梁２１，２２に対して異なる高さに固定し、垂木２３を傾斜させ、屋根パネルＹＰに排水勾配を設定するようにした。
したがって、高さ方向で垂木受梁と垂木との間に他部品を介在させるものと比較して、部品点数を抑えることができ、コスト的に有利である。
【００３８】
ｂ）両垂木受梁２１，２２は、同一形状のものを左右対称に配置して使用するようにした。したがって、各垂木受梁として異なる形状のものを用いるのと比較して、部品点数を少なくできるとともに、製造コストも抑えることができる。
【００３９】
ｃ）各垂木受梁２１，２２に対して、それぞれ垂木２３の両端の高さ異ならせて垂木２３を傾斜させるのにあたり、垂木用ネジ穴２５を、挿通するネジ２７の数よりも多い数設け、これらの垂木用ネジ穴２５に対して選択的にネジ２７を挿通させてネジ２７およびこれに固定される垂木２３の高さを任意の高さに設定するようにした。
したがって、垂木２３を固定する高さに応じ、その都度、垂木用ネジ穴２５を穿設するのと比較して、施工時の穴開け加工が不要であり、作業性に優れる。
【００４０】
ｄ）各垂木受梁２１，２２は、Ｌ字断面形状に形成し、底片２１ｂを垂木２３の下面２３ｂに対向して配置するようにしたため、垂木２３を各垂木受梁２１，２２に対して所定の高さに配置させる際に、この底片２１ｂにスペーサなどを配置させて、垂木２３を所定の高さに維持するのが容易であり、作業性に優れる。
【００４１】
ｅ）垂木２３には、長手方向両端部に端部パネル２３ｃ，２３ｃを設け、この端部パネル２３ｃに、ネジ２７を締結するネジ受穴２３ｄ，２３ｄを設けた。
したがって、垂木２３に対するネジ２７の締結位置の位置決めが容易であるとともに、締結作業も容易であり、作業性に優れるとともに、高い位置精度を得ることができる。
【００４２】
ｆ）各垂木受梁２１，２２において、運搬用ブラケット４１を固定するボルト用穴２６を一定の間隔で設けたため、設置する建物ユニットＴＵの寸法に応じて各垂木受梁２１，２２の長さを切断して寸法調整しても、その都度、運搬用ブラケット４１を固定するための穴を穿設する必要が無く、作業性に優れる。
【００４３】
ｇ）屋根パネルＹＰは、工場において垂木受梁２１，２２を含めて一体に組み付けられ、この屋根パネルＹＰを、建築現場にて、ボルト４２とナット４３とにより建物ユニットＴＵに固定するだけであるので、作業性に優れる。
【００４４】
（実施の形態２）
次に、本発明の実施の形態２の屋根パネルＹＰ２について説明する。
この屋根パネルＹＰ２は、実施の形態１の屋根パネルＹＰの変形例であり、実施の形態１の屋根パネルＹＰの一部共通部品を用いて、排水勾配の向きを９０°異ならせた例である。したがって、実施の形態１と同一の構成には同じ符号を付けて、説明を省略する。
【００４５】
実施の形態２の屋根パネルＹＰ２は、排水勾配が、図６（ａ）において矢印ＨＳに示す方向である、垂木受梁２１，２２に沿う方向に設定されている。この場合、垂木２３１，２３２，２３３の１つ１つは、その両端の固定高さが、図６（ｃ）に示すように、同一高さとされて垂木２３２（２３１，２３３）は水平に設置されている。一方、各垂木２３１，２３２，２３３は、排水勾配に沿って、それぞれ異なる高さに設置されている。すなわち、図６において右端に配置された垂木２３３が最も高く配置され、一方、左端の垂木２３１が最も低く配置され、中間の垂木２３２は、それらの中間の高さに配置される。なお、各垂木２３１〜２３３は、実施の形態１で用いた垂木２３と同一のものを用いているが、配置する高さの違いにより、符号を変えて表記している。
【００４６】
これらの垂木２３１〜２３３の高さを異ならせて設置するのにあたり、実施の形態２では、４個の垂木用ネジ穴２５のうちで、各垂木２３１〜２３３を固定するネジ２７を挿通させる位置を異ならせている。
【００４７】
すなわち、最も低い位置に配置する垂木２３１を固定するネジ２７は、図６（ｂ）において黒丸で示すように、４個の垂木用ネジ穴２５のうちで、下部の２個に挿通させている。同様に、中間高さに配置する垂木２３２を固定するネジ２７は、図において黒丸で示すように４個の垂木用ネジ穴２５のうちの中間の２個に挿通させている。最も高い位置に配置する垂木２３３を固定するネジ２７は、図において黒丸で示すように４個の垂木用ネジ穴２５のうちの上部の２個に挿通させている。
【００４８】
これにより、各垂木２３１〜２３３の下面２３ｂと各垂木受梁２１，２２の底片２１ｂとの間隔が、図６(ｂ)に示すように、ｈａ，ｈｂ，ｈｃと順に広くなり、各垂木２３１〜２３３の高さが、図において右側のものほど高く配置される。
したがって、垂木２３１〜２３３の上に野地板２４を敷設すると、図６（ａ）の矢印ＨＳに示す方向の排水勾配が形成される。なお、この実施の形態２では、各垂木２３１〜２３３の上面２３ａと野地板２４との間には、側方から見て三角形の空間が生じるため、これを埋めるスペーサを設けるのが好ましい。
【００４９】
この実施の形態２の屋根パネルＹＰにあっても、実施の形態１と同様に、上記ａ）〜ｇ）の効果を得ることができる。
【００５０】
また、実施の形態１と同一の垂木受梁２１，２２、垂木２３１〜２３３、ネジ２７を用いながら、屋根勾配の向きを９０°異ならせることができ、異なる向きの屋根勾配を形成するのに必要な部品点数を少なく抑えることが可能である。
【００５１】
以上、本発明の実施の形態について説明したが、本発明はこうした実施の形態に限定されるものではなく、本発明の要旨を逸脱しない範囲内において種々の変形および置換を加えることができる。
【００５２】
例えば、実施の形態１，２では、屋根パネルを、ユニット建物を構成する建物ユニットに使用した例を示したが、これに限定されず、ユニット建物以外の建物にも使用することができる。
【００５３】
また、実施の形態１，２では、垂木用ネジ穴を、４個設けた例を示したが、その数は、これに限定されない。例えば、実施の形態１，２では、垂木用ネジ穴を、挿通させるネジの数（２）よりも多い４個設けた例を示したが、垂木用ネジ穴の数を、挿通させるネジの数と同数とし、建物ユニットの寸法の決定に伴い、垂木受梁の間隔が決定した後に、垂木受梁に排水勾配に応じた位置に垂木用ネジ穴を開口するようにしてもよい。すなわち、実施の形態１，２において、ネジが挿通される位置のみに、垂木用ネジ穴を開口するようにしてもよい。
さらに、垂木受梁に対して垂木を固定する高さを複数段階設定するのにあたり、実施の形態１，２では、垂木受梁のネジ穴の数を複数にした例を示したが、これに限定されず、垂木側のネジ受穴を、締結するネジの数よりも多い数設定し、垂木側でネジの締結位置を選択することで、高さを選択するようにしてもよい。あるいは、垂木のネジ受穴と垂木受梁の垂木用ネジ穴との両方を、締結するネジの数よりも多い複数設け、両者をそれぞれ選択して、垂木の固定高さを複数段階設定可能としてもよい。
【００５４】
また、実施の形態１，２では、垂木として金属製のものを示したが、これに限定されず、木製のものを用いてもよい。この場合、垂木には、ネジを締結する内周に雌ネジが切られたネジ受具を設けてもよいが、ネジを直接締結するようにしてもよい。また、この場合、図７に示すように、垂木３２３の端面が、垂木受梁２１，２２の立上支持片２１ａに沿うように、垂木３２３の側面形状を排水勾配に応じた平行四辺形状に形成してもよい。こうすれば、ネジ２７を締結した際に、垂木３２３の長手方向端面が垂木受梁２１，２２に面で当接し、高い固定強度を得ることができる。
【００５５】
また、実施の形態２では、垂木２３１〜２３３は、上面２３ａおよび下面２３ｂを水平に向けたが、排水勾配に沿って傾斜させて垂木受梁２１，２２に固定してもよい。
【００５６】
また、実施の形態１，２では、鋼材製の垂木として、Ｃ型鋼材製のものを示したが、その形状はこれに限定されず、角型鋼、Ｌ型鋼、Ｈ型鋼、Ｉ型鋼などの他の形状の鋼材を用いてもよい。
【００５７】
また、実施の形態１，２では、垂木に設けられてネジを締結するネジ受として、端部パネルに設けたネジ受穴を示したが、これに限定されず、垂木に、ネジを締結するナットなどを設けてもよい。この場合、端部パネルを設けることなく、ナットを溶接などにより垂木に直接固定するようにしてもよい。
【符号の説明】
【００５８】
２１   垂木受梁
２１ａ 立上支持片
２１ｂ 底片
２２   垂木受梁
２３   垂木
２３ｃ 端部パネル
２３ｄ ネジ受穴
２４   野地板
２６   ボルト用穴
２７   ネジ
４１   運搬用ブラケット
２３１ 垂木
２３２ 垂木
２３３ 各垂木
３２３ 垂木
ＮＰ   野地板屋根パネル（パネル材）
ＹＰ   屋根パネル
ＹＰ２ 屋根パネル
【図１】
0005705554.tif 000002
【図２】
0005705554.tif 000003
【図３】
0005705554.tif 000004
【図４】
0005705554.tif 000005
【図５】
0005705554.tif 000006
【図６】
0005705554.tif 000007
【図７】
0005705554.tif 000008